(57)【要約】【課題】開封時に指が各摘み部から受ける刺激を低減可能で、かつ、全体としての著しい大型化を回避しながら各摘み部の摘み代とブリスターシートと基材との接着面積との双方を確保することが可能なブリスターパッケージを提供すること。【解決手段】ブリスターパッケージ（１）であって、ブリスターシート（３）と基材（４）とを備え、ブリスターシート（３）は、第１収容部（１１）〜第４収容部（１４）と、第１被接着部（２１）〜第４被接着部（２４）と、第１摘み部（３１）〜第４摘み部（３４）と、を有し、第１摘み部（３１）は、第１切断誘導部（Ｌ１）と第２切断誘導部（Ｌ２）との交点よりも第４収容部（１４）側に突出するとともに湾曲する形状を有し、第２摘み部（３２）は、第１方向について第１摘み部（３１）から離間した位置に形成されておりかつ湾曲する形状を有し、第３摘み部（３３）及び第４摘み部（３４）は湾曲する形状を有すること。【選択図】図１
2017210237.tif 000002
【特許請求の範囲】
【請求項１】
ブリスターパッケージであって、
複数個の被包装体を収容可能なブリスターシートと、
前記ブリスターシートに接着された基材と、を備え、
前記ブリスターシートは、
一方向に開口するとともに前記被包装体を収容可能な形状を有する第１収容部と、
前記第１収容部の周囲に形成されており前記基材に接着される第１被接着部と、
第１方向について前記第１収容部に隣接する位置に形成されており、一方向に開口するとともに前記被包装体を収容可能な形状を有する第２収容部と、
前記第２収容部の周囲に形成されており前記基材に接着される第２被接着部と、
前記第１方向と直交する第２方向について前記第１収容部に隣接する位置に形成されており、一方向に開口するとともに前記被包装体を収容可能な形状を有する第３収容部と、
前記第３収容部の周囲に形成されており前記基材に接着される第３被接着部と、
前記第１方向について前記第３収容部に隣接しかつ前記第２方向について前記第２収容部に隣接する位置に形成されており、一方向に開口するとともに前記被包装体を収容可能な形状を有する第４収容部と、
前記第４収容部の周囲に形成されており前記基材に接着される第４被接着部と、
前記第１被接着部に接続された第１摘み部と、
前記第２被接着部に接続された第２摘み部と、
前記第３被接着部に接続された第３摘み部と、
前記第４被接着部に接続された第４摘み部と、を有し、
前記基材は、各収容部の開口を塞ぐように前記ブリスターシートに接着されており、
前記ブリスターシート及び前記基材には、
前記第１方向と平行に延びる形状を有するとともに、前記第１被接着部と前記第３被接着部との境界、及び、前記第２被接着部と前記第４被接着部との境界に沿った当該ブリスターシート及び当該基材の切断を誘導する第１切断誘導部と、
前記第２方向と平行に延びる形状を有するとともに、前記第１被接着部と前記第２被接着部との境界、及び、前記第３被接着部と前記第４被接着部との境界に沿った当該ブリスターシート及び当該基材の切断を誘導する第２切断誘導部と、が形成されており、
前記第１摘み部は、前記第１切断誘導部と前記第２切断誘導部との交点を含む位置に形成されており、かつ、前記交点よりも前記第４収容部側に突出するとともに前記第１収容部から離間する向きに凸となるように湾曲する形状を有し、
前記第２摘み部は、前記第１方向について前記第１摘み部から離間した位置に形成されており、かつ、前記第２収容部から離間する向きに凸となるように湾曲する形状を有し、
前記第３摘み部は、前記第３収容部から離間する向きに凸となるように湾曲する形状を有し、
前記第４摘み部は、前記第４収容部から離間する向きに凸となるように湾曲する形状を有する、ブリスターパッケージ。
【請求項２】
請求項１に記載のブリスターパッケージにおいて、
前記第１摘み部のうち前記第２収容部と対向する部位は、前記第２収容部から離間する向きに凸となる形状を有する部位を含み、
前記第１摘み部のうち前記第３収容部と対向する部位は、前記第３収容部から離間する向きに凸となる形状を有する部位を含む、ブリスターパッケージ。
【請求項３】
請求項１又は２に記載のブリスターパッケージにおいて、
前記第１摘み部のうち前記第１収容部と対向する部位は、前記第１収容部から離間する向きに凸となる形状を有する、ブリスターパッケージ。
【請求項４】
請求項１ないし３のいずれかに記載のブリスターパッケージにおいて、
前記第３摘み部は、前記第２方向について前記第１摘み部から離間した位置に形成されており、
前記第４摘み部は、前記第１方向について前記第３摘み部から離間しかつ前記第２方向について前記第２摘み部から離間した位置に形成されている、ブリスターパッケージ。
【発明の詳細な説明】
【技術分野】
【０００１】
本発明は、薬剤や食品等の被包装体を収容するブリスターパッケージに関する。
【背景技術】
【０００２】
従来、複数個の被包装体をまとめて収容するブリスターパッケージが知られている。例えば、特許文献１には、複数の被包装体を収容可能なブリスターシートと、ブリスターシートに接着された基材と、を備えるブリスターパッケージが開示されている。ブリスターシートは、それぞれが被包装体を収容可能な４つの収容部と、各収容部の周囲に形成されており基材に接着される被接着部と、を有している。基材は、各収容部の開口を塞ぐように被接着部に接着されている。ブリスターシート及び基材には、各収容部間でのブリスターシート及び基材の切断を誘導するミシン目が形成されている。ブリスターシートのうちミシン目の交点を含む中央部は、基材から離間しており、ブリスターシートのうち収容部及び前記中央部以外の部位は、基材に接着されている。前記中央部は、ミシン目で切り離された際に摘み部を構成する。
【０００３】
このブリスターパッケージから被包装体を取外すには、まず、ミシン目に沿って一の収容部を含む部位を切り離す。そうすると、前記中央部が４分割された部位、すなわち、摘み部が露出する。この摘み部を摘まんで基材を剥がすことにより、被包装体が取り出される。
【先行技術文献】
【特許文献】
【０００４】
【特許文献１】特開昭５０−８３１９６号公報
【発明の概要】
【発明が解決しようとする課題】
【０００５】
特許文献１に記載されるようなブリスターパッケージでは、ミシン目で切り離されることにより形成される４つの摘み部の全てに角部が形成されるので、開封時（基材を剥がすとき）に指が前記角部から大きな刺激を受ける。
【０００６】
また、このようなブリスターパッケージでは、全体の大型化を回避しつつ各摘み部の摘み代をなるべく大きくしたいというニーズがある。一方、摘み代（前記中央部の面積）を大きくすると、被接着部と基材との接着面積、特に、被接着部のうち各摘み部と各収容部との間の部位と基材との接着面積の確保が困難となる。
【０００７】
本発明の目的は、開封時に指が各摘み部から受ける刺激を低減可能で、かつ、全体としての著しい大型化を回避しながら各摘み部の摘み代とブリスターシートと基材との接着面積との双方を確保することが可能なブリスターパッケージを提供することである。
【課題を解決するための手段】
【０００８】
前記課題を解決するための手段として、本発明は、ブリスターパッケージであって、複数個の被包装体を収容可能なブリスターシートと、前記ブリスターシートに接着された基材と、を備え、前記ブリスターシートは、一方向に開口するとともに前記被包装体を収容可能な形状を有する第１収容部と、前記第１収容部の周囲に形成されており前記基材に接着される第１被接着部と、第１方向について前記第１収容部に隣接する位置に形成されており、一方向に開口するとともに前記被包装体を収容可能な形状を有する第２収容部と、前記第２収容部の周囲に形成されており前記基材に接着される第２被接着部と、前記第１方向と直交する第２方向について前記第１収容部に隣接する位置に形成されており、一方向に開口するとともに前記被包装体を収容可能な形状を有する第３収容部と、前記第３収容部の周囲に形成されており前記基材に接着される第３被接着部と、前記第１方向について前記第３収容部に隣接しかつ前記第２方向について前記第２収容部に隣接する位置に形成されており、一方向に開口するとともに前記被包装体を収容可能な形状を有する第４収容部と、前記第４収容部の周囲に形成されており前記基材に接着される第４被接着部と、前記第１被接着部に接続された第１摘み部と、前記第２被接着部に接続された第２摘み部と、前記第３被接着部に接続された第３摘み部と、前記第４被接着部に接続された第４摘み部と、を有し、前記基材は、各収容部の開口を塞ぐように前記ブリスターシートに接着されており、前記ブリスターシート及び前記基材には、前記第１方向と平行に延びる形状を有するとともに、前記第１被接着部と前記第３被接着部との境界、及び、前記第２被接着部と前記第４被接着部との境界に沿った当該ブリスターシート及び当該基材の切断を誘導する第１切断誘導部と、前記第２方向と平行に延びる形状を有するとともに、前記第１被接着部と前記第２被接着部との境界、及び、前記第３被接着部と前記第４被接着部との境界に沿った当該ブリスターシート及び当該基材の切断を誘導する第２切断誘導部と、が形成されており、前記第１摘み部は、前記第１切断誘導部と前記第２切断誘導部との交点を含む位置に形成されており、かつ、前記交点よりも前記第４収容部側に突出するとともに前記第１収容部から離間する向きに凸となるように湾曲する形状を有し、前記第２摘み部は、前記第１方向について前記第１摘み部から離間した位置に形成されており、かつ、前記第２収容部から離間する向きに凸となるように湾曲する形状を有し、前記第３摘み部は、前記第３収容部から離間する向きに凸となるように湾曲する形状を有し、前記第４摘み部は、前記第４収容部から離間する向きに凸となるように湾曲する形状を有する、ブリスターパッケージを提供する。
【０００９】
本ブリスターパッケージでは、第１摘み部が第１切断誘導部と第２切断誘導部との交点を含む位置に形成されており、第２摘み部が第１方向について第１摘み部から離間した位置に形成されているため、第１摘み部及び第２摘み部が第２方向について第１被接着部及び第２被接着部の外縁部に接続される場合に比べてブリスターシート及び基材の第２方向の寸法が短縮され、また、第１摘み部は、前記交点よりも第４収容部側に突出する形状を有しているので、第１摘み部の摘み代が大きく確保される。そして、第１摘み部が第１収容部から離間する向きに湾曲する形状を有しているので、第１摘み部の先端部が直線状である場合に比べて、第１摘み部に指が触れた際に指が第１摘み部から受ける刺激が低減され、かつ、第４被接着部のうち第１摘み部と第４収容部との間の部位と基材との接着面積が大きく確保される。加えて、第２摘み部、第３摘み部及び第４摘み部も湾曲する形状を有しているので、これら摘み部に指が触れた際に指が各摘み部から受ける刺激が低刺される。
【００１０】
なお、第１切断誘導部と第２切断誘導部との交点とは、第１切断誘導部の延長線と第２切断誘導部の延長線との交点も含む。
【００１１】
前記ブリスターパッケージにおいて、前記第１摘み部のうち前記第２収容部と対向する部位は、前記第２収容部から離間する向きに凸となる形状を有する部位を含み、前記第１摘み部のうち前記第３収容部と対向する部位は、前記第３収容部から離間する向きに凸となる形状を有する部位を含むことが好ましい。
【００１２】
このようにすれば、第２被接着部のうち第２収容部と第１摘み部との間の部位、及び、第３被接着部のうち第３収容部と第１摘み部との間の部位の接着面積が確保される。
【００１３】
また、前記ブリスターパッケージにおいて、前記第１摘み部のうち前記第１収容部と対向する部位は、前記第１収容部から離間する向きに凸となる形状を有することが好ましい。
【００１４】
このようにすれば、第１被接着部のうち第１収容部と第１摘み部との間の部位の接着面積が確保される。
【００１５】
また、前記ブリスターパッケージにおいて、前記第３摘み部は、前記第２方向について前記第１摘み部から離間した位置に形成されており、前記第４摘み部は、前記第１方向について前記第３摘み部から離間しかつ前記第２方向について前記第２摘み部から離間した位置に形成されていることが好ましい。
【００１６】
このようにすれば、ブリスターシート及び基材の第１方向及び第２方向の寸法がより短縮される。
【発明の効果】
【００１７】
以上のように、本発明によれば、開封時に指が各摘み部から受ける刺激を低減可能で、かつ、全体としての著しい大型化を回避しながら各摘み部の摘み代とブリスターシートと基材との接着面積との双方を確保することが可能なブリスターパッケージを提供することができる。
【図面の簡単な説明】
【００１８】
【図１】本発明の一実施形態のブリスターパッケージの平面図である。
【図２】ブリスターシートの斜視図である。
【図３】第１摘み部の近傍の拡大図である。
【図４】図１のＩＶ−ＩＶでの断面図である。
【図５】図１のＶ−Ｖ線での断面図である。
【発明を実施するための形態】
【００１９】
本発明の一実施形態のブリスターパッケージ１について、図１〜図５を参照しながら説明する。本ブリスターパッケージ１は、複数個（本実施形態では１２個）の被包装体２と、ブリスターシート３と、基材４と、を備えている。被包装体２としては、洗浄剤等の薬剤を含む薬剤体や、飲食物などが挙げられる。
【００２０】
ブリスターシート３は、複数個の被包装体２を収容可能である。具体的に、ブリスターシート３は、それぞれが一方向に開口するとともに被包装体２を収容可能な形状を有する複数の（本実施形態では１２個の）収容部１０と、各収容部１０の周囲に形成されており基材４に接着される複数の被接着部２０と、それぞれが指で摘ままれることが可能な形状を有する複数の（本実施形態では９個の）摘み部３０と、を有している。ブリスターシート３を構成する材料として、ポリエチレンテレフタレート（ＰＥＴ）や、ポリプロピレン（ＰＰ）等が挙げられる。本実施形態では、ブリスターシート３は、層構造を有している具体的に、ブリスターシート３は、ポリプロピレンからなる外層と、ポリエチレンテレフタレートからなる内層と、を有している。
【００２１】
各収容部１０は、円筒状の周壁と、周壁のうち基材４とは反対側の端部に接続された上壁と、を有している。被接着部２０は、前記周壁から外向きに張り出す形状を有している。
【００２２】
基材４は、各収容部１０に被包装体２が収容された状態で各収容部１０の開口を塞ぐようにブリスターシート３の被接着部２０に接着されている。各摘み部３０は、基材４から離間している。基材４を構成する材料として、紙や樹脂等が挙げられる。本実施形態では、基材４は、層構造を有している。具体的に、基材４は、台紙と、台紙上に積層されたアルミニウムからなる防湿層と、防湿層上に積層された印刷層と、印刷層上に積層されており被接着部２０（内層）に接着可能な接着層と、を有している。
【００２３】
本実施形態では、複数の収容部１０は、第１方向（図１の上下方向）に沿って並ぶ４つの収容部１０を有する収容部群が、第１方向と直交する第２方向（図１の左右方向）に沿って３列並ぶように配置されている。
【００２４】
ブリスターシート３及び基材４には、当該ブリスターシート３及び当該基材４の切断を誘導する複数の切断誘導部Ｌ１，Ｌ２が形成されている。各切断誘導部は、各収容部１０を他の収容部１０から区画する位置に形成されている。本実施形態では、複数の切断誘導部は、第１方向と平行に延びる２本の第１切断誘導部Ｌ１と、第２方向と平行に延びる３本の切断誘導部Ｌ２と、を有している。また、本実施形態では、切断誘導部Ｌ１，Ｌ２は、ミシン目である。ただし、切断誘導部Ｌ１，Ｌ２は、ミシン目に限られない。
【００２５】
各摘み部３０は、切断誘導部Ｌ１，Ｌ２上に配置されている。以下、図１における右下の摘み部３０を「第１摘み部３１」と称し、第１方向について第１摘み部３１の上側に隣接する位置に配置された摘み部３０を「第２摘み部３２」と称し、第２方向について第１摘み部３１の左側に隣接する位置に配置された摘み部３０を「第３摘み部３３」と称し、第１方向について第３摘み部３３の上側に隣接しかつ第２方向について第２摘み部３２の左側に隣接する摘み部３０を「第４摘み部３４」と称する。また、図１における右下の収容部１０を「第１収容部１１」と称し、第１方向について第１収容部１１の上側に隣接する収容部１０を「第２収容部１２」と称し、第２方向について第１収容部１１の左側に隣接する収容部１０を「第３収容部１３」と称し、第１方向について第３収容部１３の上側に隣接しかつ第２方向について第２収容部１２の左側に隣接する収容部１０を「第４収容部１４」と称する。そして、第１収容部１１の周囲に形成された被接着部２０を「第１被接着部２１」と称し、第２収容部１２の周囲に形成された被接着部２０を「第２被接着部２２」と称し、第３収容部１３の周囲に形成された被接着部２０を「第３被接着部２３」と称し、第４収容部１４の周囲に形成された被接着部２０を「第４被接着部２４」と称する。
【００２６】
第１摘み部３１は、図１において右側に位置する切断誘導部Ｌ１と、図１において最も下側に位置する第２切断誘導部Ｌ２と、の交点を含む位置に形成されている。第２摘み部３２は、図１において右側に位置する切断誘導部Ｌ１と、図１において中央に位置する第２切断誘導部Ｌ２と、の交点を含む位置に形成されている。第３摘み部３３は、図１において左側に位置する切断誘導部Ｌ１と、図１において最も下側に位置する第２切断誘導部Ｌ２と、の交点を含む位置に形成されている。第４摘み部３４は、図１において左側に位置する切断誘導部Ｌ１と、図１において中央に位置する第２切断誘導部Ｌ２と、の交点を含む位置に形成されている。なお、第１切断誘導部Ｌ１と第２切断誘導部Ｌ２との交点とは、第１切断誘導部Ｌ１の延長線と第２切断誘導部Ｌ２の延長線との交点も含む。
【００２７】
各摘み部３０は、互いに同じ形状を有するので、以下、第１摘み部３１について説明する。第１摘み部３１は、第１被接着部２１に接続されている。第１摘み部３１は、各切断誘導部Ｌ１，Ｌ２の交点よりも第４収容部１４側（図１の左上側）に突出する形状を有する。図３に示されるように、第１摘み部３１の先端部３１ａは、第１収容部１１から離間する向き（第４収容部１４に向かう向き）に凸となるように湾曲する形状を有している。第１摘み部３１のうち第２収容部１２と対向する第１側端部３１ｂは、第２収容部１２から離間する向きに凸となるように湾曲する形状を有する部位を含んでいる。第１摘み部３１のうち第３収容部１３と対向する第２側端部３１ｃは、第３収容部１３から離間する向きに凸となるように湾曲する形状を有する部位を含んでいる。先端部３１ａ、第１側端部３１ｂ及び第２側端部３１ｃは、滑らかに連続するように互いにつがなっている。第１摘み部３１のうち第１収容部１１と対向する基端部３１ｄは、第１収容部１１から離間する向きに凸となるように湾曲する形状を有している。なお、先端部３１ａ、第１側端部３１ｂ、第２側端部３１ｃ及び基端部３１ｄは、第１摘み部３１の外縁部のうち各切断誘導部Ｌ１，Ｌ２間の部位を指す。
【００２８】
ブリスターシート３のうち第１被接着部２１と第１摘み部３１との間の部位４１ｄは、基材４から離間するように起立するとともに、第１収容部１１から離間する向きに凸となるように湾曲する形状を有している。ブリスターシート３のうち第２被接着部２２と第１摘み部３１との間の部位４１ｂは、基材４から離間するように起立するとともに、第２収容部１２から離間する向きに凸となるように湾曲する形状を有する部位を含んでいる。ブリスターシート３のうち第３被接着部２３と第１摘み部３１との間の部位４１ｃは、基材４から離間するように起立するとともに、第３収容部１３から離間する向きに凸となるように湾曲する形状を有する部位を含んでいる。ブリスターシート３のうち第４被接着部２４と第１摘み部３１との間の部位４１ａは、基材４から離間するように起立するとともに、第１収容部１１から離間する向きに凸となるように湾曲する形状を有している。前記部位４１ａ、前記部位４１ｂ及び前記４１ｃは、滑らかに連続するように互いにつがなっている。
【００２９】
本実施形態では、ブリスターシート３は、第１摘み部３１の先端部３１ａ、第１側端部３１ｂ及び第２側端部３１ｃに沿って切断されている。また、基材４のうちブリスターシート３の厚さ方向（図４及び図５の上下方向）について前記先端部３１ａ、第１側端部３１ｂ及び第２側端部３１ｃと重なる部位も切断されている。
【００３０】
続いて、以上に説明したブリスターパッケージ１から、第１収容部１１に収容された被包装体２を取り出し場合について説明する。
【００３１】
まず、各切断誘導部Ｌ１，Ｌ２に沿って第１収容部１１を切り離す。そうすると、第１摘み部３１が露出するので、この第１摘み部３１を摘まんで基材４を剥がす。このとき、第１摘み部３１の先端部３１ａは、第１収容部１１から離間する向きに凸となるように湾曲する形状を有しているので、開封時に指が第１摘み部３１から受ける刺激が低減される。しかも、第１摘み部３１は、各切断誘導部Ｌ１，Ｌ２の交点よりも第４収容部１４側に突出する形状を有しているので、すなわち、第１摘み部３１の摘み代が大きく確保されているので、第１摘み部３１を摘まんで基材４を剥がしやすい。
【００３２】
さらに、前記先端部３１ａが湾曲していることから、当該先端部３１ａが直線状である場合に比べて、第４被接着部２４のうち第１摘み部３１と第４収容部１４との間の部位と基材４との接着面積が大きく確保される。
【００３３】
以上のことは、第２摘み部３２〜第４摘み部３４を含む他の摘み部３０についても同様である。
【００３４】
加えて、第１摘み部３１及び第２摘み部３２は、第１切断誘導部Ｌ１上に形成されているので、これら摘み部が被接着部２０の外縁部に接続される場合に比べて、ブリスターシート３及び基材４の第２方向の寸法も短縮される。
【００３５】
また、第１摘み部３１の基端部３１ｄ、及び、ブリスターシート３のうち第１被接着部２１と第１摘み部３１との間の部位４１ｄが第１収容部１１から離間する向きに凸となるように湾曲する形状を有しているので、第１被接着部２１のうち第１収容部１１と前記部位４１ｄとの間の部位の接着面積が大きく確保される。このことは、第２被接着部２２側及び第３被接着部２３側でも同様である。
【００３６】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００３７】
例えば、ブリスターシート３は、複数の収容部１０として、少なくとも第１収容部１１〜第４収容部１４を有していればよく、収容部１０の数は、１２個に限られない。
【００３８】
また、単一の収容部１０に複数個の被包装体２が収容されてもよい。
【符号の説明】
【００３９】
１    ブリスターパッケージ
２    被包装体
３    ブリスターシート
４    基材
１０    収容部
１１    第１収容部
１２    第２収容部
１３    第３収容部
１４    第４収容部
２０    被接着部
２１    第１被接着部
２２    第２被接着部
２３    第３被接着部
２４    第４被接着部
３０    摘み部
３１    第１摘み部
３２    第２摘み部
３３    第３摘み部
３４    第４摘み部
Ｌ１    第１切断誘導部
Ｌ２    第２切断誘導部
【図１】
2017210237.tif 000003
【図２】
2017210237.tif 000004
【図３】
2017210237.tif 000005
【図４】
2017210237.tif 000006
【図５】
2017210237.tif 000007